(57)【要約】      （修正有）【課題】外反母趾と内反小指を矯正するとともに、足裏のツボを刺激して血行や代謝を良くして、筋肉疲労の回復や不眠を改善する靴下を提供する。【解決手段】靴下１は、親指を嵌入する親指袋１１と、小指を嵌入する小指袋１２と、人差指と中指と薬指とを嵌入する中間袋１３を足先に形成し、親指袋１１のつけ根に沿って中間袋１３の人差指側のつけ根端までと、小指袋１２のつけ根に沿って、中間袋の薬指側のつけ根端までとがタック編み目１３１で編成されている。【選択図】図２
0003210355.tif 000002
【実用新案登録請求の範囲】
【請求項１】
親指を嵌入する親指袋と、小指を嵌入する小指袋と、人差指と中指と薬指とを嵌入する中間袋を足先に形成し、
前記親指袋のつけ根に沿って、前記中間袋の前記人差指側のつけ根端までがタック編みで編成され、かつ、前記小指袋のつけ根に沿って、前記中間袋の前記薬指側のつけ根端までがタック編みで編成されていることを特徴とする靴下。
【請求項２】
足甲側をタックメッシュの編地で編成し、足底側を平生地の編地で編成することで、厚さと編地に変化をつけたことを特徴とする請求項１に記載のくつ下。
【請求項３】
人の足裏にあるツボで湧泉と呼ばれる部位の近傍に対応する箇所に、隆起部を形成したことを特徴とする請求項１又は２に記載の靴下。
【請求項４】
人の踵が当接する部位に踵袋が設けられ、該踵袋は袋周りの生地を厚くしていることを特徴とする請求項１ないし３のいずれかに記載の靴下。
【請求項５】
人の足裏にあるツボで失眠と呼ばれる部位の近傍に対応する箇所で前記踵袋に、隆起部を形成したことを特徴とする請求項４に記載の靴下。
【考案の詳細な説明】
【技術分野】
【０００１】
本考案は、外反母趾と内反小指を矯正するとともに、水虫や股腐れを予防し、さらに足裏のツボを刺激して血行や代謝を良くして、筋肉疲労の回復や不眠を改善する靴下に関する。
【背景技術】
【０００２】
外反母趾矯正用の靴下として、中足関節部及び第５中足骨基底部に押圧部材又は補強部材を形成した靴下が知られているが、外反母趾の矯正には効果があるものの、親指及び小指が効率的に外方に開かないため、足指が上方に向いて足裏に横アーチ、縦アーチが形成できず、歩行が不安定になるという問題点があった。
【０００３】
上述した製品を改良するものとして、親指袋と、小指袋と、それ以外の指三本を嵌入する袋とを備える靴下に係る種々の発明や考案が提案されている。特許文献１は、親指と小指をそれぞれを嵌入する袋部を足先両側に形成し、中間部に第２指〜第４指を嵌入する袋部を足先中央部に形成し、中足関節部と第５中足骨基底部を中心とするリスフラン関節部を押圧する力により親指と小指が外方に拡開し、足裏に横・縦アーチを再生させ、足裏全体のバランスを整えるようにした靴下を提案している。特許文献２には、水虫を予防するための靴下として、特許文献１に係る靴下と同様に、親指袋と、小指袋と、それ以外の指三本を嵌入する袋とを備えるメリヤス靴下を提案している。特許文献３には、水虫を予防するための靴下として、最先端の爪先部には連続した三つの袋部分を有し、その他の爪先部は編み閉じ部分からなり、上端の口ゴム部は折り返して縫合した構成の靴下を提案している。
【０００４】
他方、筋肉疲労や不眠、冷え性に対して、手軽でかつ効果のある靴下が求められている。暖かく感じる素材を使用した靴下や、経穴（以下「ツボ」と表記する。）に温熱刺激を与えて血行を促進させるツボ治療を利用した靴下が多数存在する。例えば、特許文献４には、靴下本体を構成する脚部において、４つのツボを隈なく被覆する脚部間の内面に若干長めの毛足を出し、且つ脚部の外側が滑らかな状態で編み上げるパイル編みを施した靴下が提案されている。また、特許文献５には、冷え性を緩和する靴下として、ツボを刺激するための刺激部と、刺激部の周囲に設けられた本体部とを備え、刺激部は、発熱性を有する第１繊維素材からなっており、本体部は、第１繊維素材よりも発熱性の低い第２繊維素材からなっている靴下を提案している。
また、特許文献６に示すとおり、足裏の所望するツボの位置に対応する箇所に、ツボ指圧具を配置したくつ下も提案されている。
さらに、上記以外には、磁気や弱電流を流して、ツボを刺激するくつ下等も提案されている。
【先行技術文献】
【特許文献】
【０００５】
【特許文献１】特開２００３−２９９６８５号公報
【特許文献２】実開昭６３−１１５０３号公報
【特許文献３】実用新案登録第３０３２０５７号公報
【特許文献４】特開２００７−１６２１５５号公報
【特許文献５】特開２０１３−１２９９４７号公報
【特許文献６】特開平８−１４４１０３号公報
【考案の概要】
【考案が解決しようとする課題】
【０００６】
ところが、特許文献１ないし３に係る靴下は、履いた時にバランスが悪く違和感を覚えるという問題があった。また、特許文献４や５の靴下は、製造にコストがかかる。特許文献６に係るくつ下は、履いたときに違和感を感じるという問題がある。さらに、磁気や弱電流を流して、ツボを刺激するくつ下は、構造が複雑で製造にコストがかかるという問題があった。
【０００７】
本考案は、このような問題に鑑み、外反母趾と内反小指を矯正しながらも履きやすく、水虫や股腐れを予防し、さらに、足裏のツボを刺激して血行や代謝を良くして、筋肉疲労の回復や不眠を改善する靴下を提供することを目的とする。
【課題を解決するための手段】
【０００８】
上記問題を解決するために、本考案の靴下は、親指を嵌入する親指袋と、小指を嵌入する小指袋と、人差指と中指と薬指とを嵌入する中間袋を足先に形成し、親指袋のつけ根に沿って中間袋の人差指側のつけ根端までがタック編みで編成され、かつ、小指袋のつけ根に沿って、中間袋の薬指側のつけ根端までがタック編みで編成されていることを特徴とする。
【０００９】
また、足甲側をタックメッシュの編地で編成し、足底側を平生地の編地で編成することで、厚さと編地に変化をつけると好適である。
【００１０】
さらに、人の足裏にあるツボで湧泉と呼ばれる部位の近傍に対応する箇所に、隆起部を形成するように編成してもよい。
【００１１】
またさらに、人の踵が当接する部位に踵袋が設けられ、踵をしっかり包み込む。該踵袋は袋周りの生地を厚くしてもよい。そして、人の足裏にあるツボで失眠と呼ばれる部位の近傍に対応する箇所で踵袋に、隆起部を形成することも可能である。
【考案の効果】
【００１２】
本考案に係る靴下は、外反母趾と内反小指を矯正しながらも履きやすく、水虫や股腐れを予防することができる。
【００１３】
本考案に係る靴下は、足底のツボである湧泉や失眠に当接する隆起部分を形成したので、該靴下を使用することによって足底の湧泉や失眠を刺激するので、血行や代謝を高めることができるほか、高ぶった神経を落ち着かせて眠気を誘い、集中力の低下等を改善する等健康面でも効果がある。
【図面の簡単な説明】
【００１４】
【図１】本考案に係る靴下のうち右靴下を使用者が着用した状態を上正面から見た図である。
【図２】本考案に係る靴下の右靴下の底面図である。
【図３】本考案に係る右靴下の右側面図である。
【図４】本考案に係る右靴下の底面のつま先を示す図である。
【図５】本考案に係る右靴下の甲面のつま先を示す図である。
【図６】図１におけるＡ−Ａ線矢視方向での断面側面図である。
【考案を実施するための形態】
【００１５】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施例に限られるものではない。
【実施例１】
【００１６】
実施例１を図面を参照して詳細に説明する。
【００１７】
まず、靴下１の全体構成を説明する。図１は、本考案に係る靴下のうち右靴下を使用者が着用した状態を上正面から見た図である。図１に示すとおり、靴下１は、大別すると、人の足の形状に対応して、本体部１０と、足先に、親指を嵌入する親指袋１１と、小指を嵌入する小指袋１２と、人差指と中指と薬指とを嵌入する中間袋１３と、足を入れる開口付近に履口部１６が設けられている。靴下１の全体は、綿、ナイロン糸等の繊維を公知の方法で編成することができる。
【００１８】
図２を参照する。図２は、本考案に係る靴下の右靴下の底面図である。図２に示すとおり、図１と同様に、本体部１０、足先に、親指を嵌入する親指袋１１と、小指を嵌入する小指袋１２と、人差指と中指と薬指とを嵌入する中間袋１３とを形成し、足を入れる開口付近に履口部１６が設けられている。そして、人の踵が当接する部位に踵袋１４が設けられ、使用者はこの踵袋１４に自分の踵を収容する。
【００１９】
図３を参照する。図３は、本考案に係る右靴下の右側面図である。踵袋１４は踵を包み込むように収容していることが理解できるであろう。このように、踵袋１４が踵を包み込むように収容することで、靴下のずれを防止することができる。なお、符号１４１に示すように、該踵袋１４は袋周りの生地を厚くするとよい。また、袋回り１４１の生地を厚くすることにより、踵袋１４の本体部１０からの離脱を防止するものである。
【００２０】
図４及び５を参照する。図４は、本考案に係る右靴下の底面のつま先を示す図である。図５は、本考案に係る右靴下の甲面のつま先を示す図である。図４に示すとおり、親指袋１１のつけ根に沿って中間袋１３の人差指側のつけ根端までがタック編みで編成されている（符号１３１として点線で示している）。また、図５に示すとおり、小指袋１２のつけ根に沿って、中間袋１３の薬指側のつけ根端までがタック編みで編成されている（符号１３２として点線で示している）。このような二つの領域におけるタック編みにより、人差指と中指と薬指を上方に引っ張ることができ、外反母趾や内反小指の矯正や、水虫や股腐れを予防することができる。
なお、タック編みとは生地を編成する際に、ある編み目を作らないで、次のコースを編むときに一緒に編み目を作るもので、編針から編み目を脱出させないので、編針のフック又は針幹の前の編み目とともに保持し、例えば次の給糸により編み目を形成する時に同時に二つの編み目をくぐって編み糸を引き出して新しい編み目を作った組織である。タックする回数（タック数）は１〜２回でよいが、限定されない。
【００２１】
また、足甲側をタックメッシュの編地（３本掛け）で編成し、足底側を平生地の編地（３本掛けとナイロン糸２本）で編成することで、厚さと編地に変化をつけると好適である。
【００２２】
図２と図６を参照する。図６は、図１におけるＡ−Ａ線矢視方向での断面側面図である。再度、図２を参照する。図２と６に示すとおり、靴下１は、足底のツボの一つである湧泉に当る部分に、隆起部１５０を備える。隆起部１５０は、靴下１の内面の所定位置に編地を隆起させて形成されている。隆起部１５０で、湧泉を刺激して、血行や代謝を高めることができる。また、靴下１は、踵袋１４の内面の所定位置に編地を隆起させて形成して踵袋内隆起部１４０を備える。踵袋内隆起部１４０は、足底のツボの一つである失眠を刺激して、疲労を回復させることができる。
【００２３】
なお、湧泉とは、左右の足裏にあるツボで、そこを刺激することによって、血行や、代謝を良くして、筋肉疲労の回復や、冷えや痛みを改善したりすることができるツボである。湧泉は、足裏の中心よりやや指先側へ寄った位置であって、小指の付け根と、脚の内側に沿った土踏まずの中心とを結んだ線上の少しくぼんだところに位置している。また、失眠とは、湧泉と同様に、左右の足裏にあるツボで、そこを刺激することによって、高ぶった神経を落ち着かせて眠気を誘い、集中力の低下等を改善することができるツボである。失眠は、踵の中央の少しへこんだところに位置している。
【００２４】
以上、本考案に係る靴下における好ましい実施形態を図示して説明してきたが、本考案の技術的範囲を逸脱することなく種々の変更が可能であることは理解されるであろう。
【産業上の利用可能性】
【００２５】
本考案に係る靴下は、外反母趾と内反小指を矯正しながらも履きやすく、水虫や股腐れを予防し、さらに、足裏のツボを刺激して血行や代謝を良くして、筋肉疲労の回復や不眠を改善するので、健康靴下として広く利用することができる。
【符号の説明】
【００２６】
１  靴下
１０  本体部
１１  親指袋
１２  小指袋
１３  中間袋
１４  踵袋
１６  履口部
１３１  １３２  タック編目  
１４０  踵袋内隆起部
１４１  踵袋外周部
１５０  隆起部
【図１】
0003210355.tif 000003
【図２】
0003210355.tif 000004
【図３】
0003210355.tif 000005
【図４】
0003210355.tif 000006
【図５】
0003210355.tif 000007
【図６】
0003210355.tif 000008